(57)【特許請求の範囲】
【請求項１】
シートの左右にリクライニング機構を配設し、操作力を伝達するパイプ等の連結部材の両端を左右のリクライニング機構の固定ブラケットと可動ブラケットを枢支する軸に連絡した両持リクライニング装置において、左右の前記各軸の対向端部には、外周或いは内周面に断面弧状の隆出環部を設けた前記連結部材を挿嵌して円周線接触で支承させると共に、前記連結部材は、左右のリクライニング機構の操作部に取付けた構成を特徴とした両持リクライニング装置。
【請求項２】
連結部材を左右のリクライニング機構の操作部に着脱可能に取付けたことを特徴とする、特許請求の範囲請求項１記載の両持リクライニング装置。
【発明の詳細な説明】
【０００１】
【発明の属する技術分野】
本発明は、シートの左右に配設した一対のリクライニング機構を連動して操作するための連結部材を、固定ブラケットと可動ブラケットの左右の枢着軸に連絡させた両持リクライニング装置に関するものである。
【０００２】
【従来の技術】
前記左右に配した一対のリクライニング機構を連結部材を用いて連結し、連動する両持リクライニング装置の連結構造は、固定ブラケットとセクターギヤを備えた可動ブラケットを枢支する軸ａ，ａの間を、対向する軸ａの端面に設けた挿入孔ｂに連結パイプｃの両端を夫々挿入して嵌着させて連結する構成のものであった（図６）。
【０００３】
【発明が解決しようとする課題】
前記公知の連結構成では挿入孔に端部を挿入し嵌着して連結させるため、リクライニングの製品の誤差又は撓み、パイプの変形等があると、嵌着部をこじる場合に動かず傷を生ずると共に操作性が悪くなる。
【０００４】
【課題を解決するための手段】
本発明は斯様な実情に鑑み、この課題に対処するために創案したもので、軸端の対向端部に、外周又は内周面に断面弧状に成形した隆出環部を設けた連結部材を挿嵌して円周線接触で支承させると共に、連結部材は、左右のリクライニング機構の操作部に取付けた構成にして製品の誤差、撓み等による悪影響をなくすことを特徴とした両持リクライニング装置を提供するものである。
【０００５】
【発明の実施態様】
図は本発明による両持リクライニング装置の実施例を示したもので、以下図に基づいて具体的に説明する。
【０００６】
１は、座席の側部に固定される固定ブラケットで、該固定ブラケット１の背部側、上端部には、背もたれを取付ける可動ブラケット２を設ける。この可動ブラケット２は、下端側に複数のリベット３によって固定したセクターギヤ４を設けて、このセクターギヤ４は、固定ブラケット１に一端を取付け固定した軸５に中央部分を枢支して回動できるようにして設けてある。
【０００７】
固定ブラケット１には、対応させた補助プレート８を有し、更に、この補助プレート８と固定ブラケット１には、前記セクターギヤ４の係止歯４ａと係離する係合歯６ａを設けたロックプレート６の一端を軸支する軸７を有し、この軸７を中心にロックプレート６に揺動があたえられてセクターギヤ４の係止歯４ａと係合歯６ａの係離を可能にする。
【０００８】
ロックプレート６にはピン６ｂが設けてある。ピン６ｂは、固定ブラケット１と前記補助プレート８にわたした軸９により軸支された作動板１０に設けた略三角形状のカム孔１０ａに遊嵌させ、作動板１０は一端に設けたノブ１０ｂによって前記軸９を中心に揺動させることでカム孔１０ａに嵌められたピン６ｂを介してロックプレート６に前記した揺動動作があたえられるようにしてある。
【０００９】
また作動板１０には、一端を固定ブラケット１側に係止させた復帰用スプリング１１の他端を連繋させ、更に、作動板１０には、前記軸９に軸支したカム体１２をピン１２ａを介して協動するように設けて、作動板１０の動作によってロックプレート６を噛合い方向に押し上げ、係止歯４ａと係合歯６ａの係合が確実に保たれるようにして操作部を構成する。
【００１０】
更に、固定ブラケット１に一端を固定した前記軸５の内端面には、図２に示すように左右に配装した両持リクライニング間に連絡された連結パイプ１３の端部を嵌めて支承させる嵌合孔５ａを穿って設けてある。また、図示１６は鉄板等から成る支持体で、支持体１６は一端にピン１４を設け、他の一端を前記連結パイプ１３に嵌めて熔接して該パイプ１３を支持させてある。
【００１１】
前記連結パイプ１３は、間隔をおいて対応させて配装した両方のリクライニング機構を操作するための操作力を伝導するもので、連結パイプ１３の夫々の挿入側端部には、外周に沿って隆出させた断面弧状で端面方向視環状の隆出環部１３ａを成形し、軸５の嵌合孔５ａ内に嵌めた時、弧状隆出部と内面とが図２の正面図のごとく点状となって接触し、自在状に嵌まり、製品の誤差、パイプの変形等の場合でも軸５ａをこじることのないように自在となっている。
【００１２】
また、図３に示すように、連結パイプ１３の挿入側端部に、前記鉄板等の支持体１６に沿って設ける合成樹脂材からなる沿片１７の上端側に、前記弧状隆出部と同じ弧状の隆出環部１７ａを一体に成形したカラー体１７ｂを連結パイプ１３の端部に嵌めて嵌着させ、このカラー体１７ｂの前記隆出環部１７ａを嵌合孔５ａの内面に内接させる構成のものや、図４に示すように、連結パイプ１３の端部を角状１３ｂに成形し、この角状部１３ｂに、前記と同様の隆出環部１７ａを設けた沿片１７のカラー体１７ｂを嵌着し、更にカラー体１７ｂを支持体１６に挾着してあって、この支持体１６は連結パイプ１３には溶接せずに角状部１３ｂに嵌合させて支持する構成である。
【００１３】
次に図５は別の実施例で、前記軸５には、軸５の内端面から突出させた張出片５ｂを設け、この張出片５ｂの外面に、連結パイプの端部内周面に、前記外周に設けた弧状の隆出環部１３ａとは逆に隆出させた隆出環部１３ｃを自在に嵌めた構成としたものである。
【００１４】
【発明の効果】
本発明は前記の構成のように、シートの左右に配設した一対のリクライニング機構に操作力を伝達するための連結パイプの軸に嵌める挿入側の端部に、外周又は内周面に断面弧状の隆出環部を成形し、この隆出環部をリクライニング固定ブラケットに固定した軸の内面或いは外面に自在可能に嵌挿し隆出部で点状に接触させるようにしたことで製品誤差、撓み等のリクライニング機構に傾きが生じた場合や、パイプの変形等の場合でもこじる等の悪影響がなく破壊を防ぐことができる。また、連結パイプによりリクライニングを両持ちとすることでロックが確実にできる効果がある。
【図面の簡単な説明】
【図１】  本発明による両持リクライニング装置の実施例を示した側面図である。
【図２】  左右のリクライニング機構を連結部材で連結した両持リクライニング装置の正面図である。
【図３】  軸と連結パイプの連結部を示した別の実施例の一部断面図である。
【図４】  連結部の他の実施例を示した一部の断面図である。
【図５】  軸からの張出片に連結パイプを連結する一部の断面図である。
【図６】  従来の軸の嵌合孔に連結パイプの端部を挿入した連結部の一部の断面図である。
【符号の説明】
１                      固定ブラケット
２                      可動ブラケット
３                      リベット
４                      セクターギヤ
４ａ                    係止歯
５，７，９              軸
５ａ                    嵌合孔
５ｂ                    張出片
６                      ロックプレート
６ａ                    係合歯
６ｂ，１２ａ，１４      ピン
８                      補助プレート
１０                    作動板
１０ａ                  カム孔
１１                    復帰用スプリング
１２                    カム体
１３ａ，１３ｃ，１７ａ  隆出環部
１５                    カラー体
１６                    支持体
１７                    沿片
【図１】
0003645332.tif 000002
【図２】
0003645332.tif 000003
【図３】
0003645332.tif 000004
【図４】
0003645332.tif 000005
【図５】
0003645332.tif 000006
【図６】
0003645332.tif 000007